(57)【要約】【課題】手指が十分に使えない人であっても、容器の形態にかかわらず、安全に開蓋できるプルトップ容器の開蓋具を提供すること。【解決手段】金属製板材１で形成されており、前記金属製板材１の一端側にプルタブ７を引き起こすための折り返し部２を、他端側に二本の手指相互間に引っ掛かる係止部３を、それぞれ備えている。係止部３は他の部分よりも幅広であり、折り返し部２の折り返し方向と反対側面に永久磁石３０を設けてある。係止部３における永久磁石３０との反対側面には装飾部３１を設けてある。【選択図】図１
2008174276.tif 000002
【特許請求の範囲】
【請求項１】
金属製板材で形成されており、前記金属製板材の一端側にプルタブを引き起こすための折り返し部を、他端側に二本の手指相互間に引っ掛かる係止部を、それぞれ備えていることを特徴とするプルトップ容器の開蓋具。
【請求項２】
係止部は他の部分よりも幅広であり、折り返し部の折り返し方向と反対側面に永久磁石を設けてあることを特徴とする請求項１記載のプルトップ容器の開蓋具。
【請求項３】
係止部における永久磁石との反対側面には装飾部を設けてあることを特徴とする請求項２記載のプルトップ容器の開蓋具。
【請求項４】
長さ方向略中央部で折り畳み自在であることを特徴とする請求項１乃至３のいずれかに記載のプルトップ容器の開蓋具。
【請求項５】
金属製板材で形成されており、プルタブの環状部に下面側から上面側に向って差し込まれる先端湾曲部と、前記先端湾曲部から長手方向に離れた位置に形成され且つプルタブの環状部を構成する引き起し側構成壁が嵌まり込む凹状部とを有していることを特徴とするプルトップ容器の開蓋具。
【発明の詳細な説明】
【技術分野】
【０００１】
この発明は、プルトップ容器（プルトップを有する缶、紙製箱体）を開蓋するための、プルトップ容器の開蓋具に関するものである。
【背景技術】
【０００２】
近年、市場においてプルトップタイプの缶ジュース、缶詰、箱状容器が見受けられるようになってきている。
【０００３】
上記容器では、プルタブを指で引き起し、このプルタブのリングの中に指を通して、プルタブを引き上げることにより、蓋部の周縁が容器から切り取られるので開蓋できるようになっている。  
【０００４】
しかしながら、このプルトップ容器では、プルタブが比較的堅牢に止着されているので、このプルタブを指で引き起し、さらに、引き上げる操作にはかなりの力が必要である。
【０００５】
したがって、高齢者や子供、爪が伸びた女性、手指に障害を持った人（手指が十分に使えない人）の場合、上記開蓋作業は大変な作業となり、自分で開蓋できないという問題があった。
【０００６】
上記問題を解決する手段としては、例えば、特許文献１に示すような開蓋具がある。この開蓋具では、缶上面とこれの上側に密接して設けられているプルタブとの間に細棒を差し込んでプルタブの環状部分を貫通させた後、先端部を周突起に押し当て、当該先端部を支点として細棒を上方に揺動させるようにしてプルタブを開蓋する。
【０００７】
しかし、上記開蓋具は先端部が尖っているため怪我をする可能性があり、また、プルトップタイプの箱状容器の場合には用いることができないという問題がある。
【０００８】
したがって、手指が十分に使えない人の間では、プルタブが設けられた容器の形態にかかわらず、安全に開蓋できる開蓋具が市場に出回ることを待ち望んでいる。
【特許文献１】実開平６−４９３９６
【発明の開示】
【発明が解決しようとする課題】
【０００９】
したがって、本願発明は、手指が十分に使えない人であっても、容器の形態にかかわらず、安全に開蓋できるプルトップ容器の開蓋具を提供することを課題とする。
【課題を解決するための手段】
【００１０】
（請求項１記載の発明）
この発明のプルトップ容器の開蓋具は、金属製板材で形成されており、前記金属製板材の一端側にプルタブを引き起こすための折り返し部を、他端側に二本の手指相互間に引っ掛かる係止部を、それぞれ備えている。
（請求項２記載の発明）
この発明のプルトップ容器の開蓋具は、請求項１記載の発明に関し、係止部は他の部分よりも幅広であり、折り返し部の折り返し方向と反対側面に永久磁石を設けてある。
（請求項３記載の発明）
この発明のプルトップ容器の開蓋具は、請求項２記載の発明に関し、係止部における永久磁石との反対側面には装飾部を設けてある。
（請求項４記載の発明）
この発明のプルトップ容器の開蓋具は、請求項１乃至３のいずれかに記載の発明に関し、長さ方向略中央部で折り畳み自在である。
（請求項５記載の発明）
この発明のプルトップ容器の開蓋具は、金属製板材で形成されており、プルタブの環状部に下面側から上面側に向って差し込まれる先端湾曲部と、前記先端湾曲部から長手方向に離れた位置に形成され且つプルタブの環状部を構成する引き起し側構成壁が嵌まり込む凹状部とを有している。
【発明の効果】
【００１１】
この発明のプルトップ容器の開蓋具によると、手指が十分に使えない人であっても、容器の形態にかかわらず、安全に開蓋できる。
【００１２】
このプルトップ容器の開蓋具では、先ず、二本の手指相互間に係止部を引っ掛け、この状態において折り返し部よりも先端部分をプルタブの環状部に差し込み、折り返し部を支点として係止部側を揺動させる。その後、二本の手指相互間に引っ掛けた係止部を押し下げ又は引き上げることにより、開蓋できることになる（使用の一例）。
【００１３】
この開蓋具によると、プルトップ缶、箱状タイプのプルトップ容器にかかわらず開蓋することができる。
【００１４】
したがって、高齢者や子供、爪が伸びた女性、手指に障害を持った人（手指が十分に使えない人）であっても開蓋できることが明らかであり、更に容器の形態にかかわらず、安全に開蓋できることについても明らかである。
【発明を実施するための最良の形態】
【００１５】
以下にこの発明のプルトップ容器の開蓋具における最良の形態として実施例について詳しく説明する。
【実施例１】
【００１６】
図１はプルトップ容器（プルトップ缶８）の開蓋具の斜視図、図２はプルトップ缶８の開蓋具の使用態様を示す斜視図、図３はプルトップ缶８の蓋８０にプルタブ７を押し込んだ状態を示す斜視図である。
【００１７】
（このプルトップ缶８の開蓋具の構成について）
この実施形態のプルトップ缶８の開蓋具は、図１や図２に示すように、金属製板材１で形成されており、前記金属製板材１の一端側にプルタブ７を引き起こすための折り返し部２を、他端側に二本の手指相互間に引っ掛かる係止部３を、それぞれ備えている。
【００１８】
前記金属製板材１は、図１や図２に示すように、薄く細長い板状のものであり、硬質である鋼又はステンレスにより構成されている。なお、この金属製板材１の幅は所謂人指し指と中指により挟み込むことができる程度の寸法に形成してある。
【００１９】
折り返し部２は、図１や図２に示すように、上記金属製板材１の一端側部を１２０°程度折り曲げて構成されており、プルタブ７の環状部７０に差し込みが円滑にできる程度の厚みに形成されている。
【００２０】
係止部３は、図１や図2に示すように、折り返し部２の幅と比較して幅を広く形成されており、この実施例においては円形状に形成されている。なお、この係止部３の直径は、金属製板材１を上記二指で挟み込んだ状態において、十分に前記二指に引っかかる寸法にしてある。
ここで、この係止部３には、図１や図２に示すように、上記折り返し部２の折り返し方向と反対側面に永久磁石３０を貼設してあり、前記永久磁石３０との反対側面には装飾部３１を設けてある。
【００２１】
なお、この実施例においては、金属製板材１の全長を７５ｍｍ、金属製板材１の厚みを１ｍｍ、係止部３の除く幅を（折り返し部２側は４ｍｍ、係止部３側は７ｍｍ）、係止部３の直径を２３ｍｍとしてあり、怪我等が生じないように尖った部分がないようにしてある。この発明は当該寸法に限定されるものではない。
【００２２】
（このプルトップ缶８の開蓋具の使用態様について）
このプルトップ缶８の開蓋具では、先ず、図１の二点鎖線に示すように、二本の手指相互間に係止部３を引っ掛け、この状態において図２の二点鎖線に示すように、折り返し部２よりも先端部分２０をプルタブ７の環状部７０に差し込み、図２の二点鎖線の状態から実線の様態となるように折り返し部２を支点として係止部３側を揺動させる。その後、図３に示すように、二本の手指相互間に引っ掛けた係止部３を更にプルトップ缶８の周縁を支点として押し下げると、蓋８０を開蓋できることになる。
【００２３】
上記の使用態様からすると、高齢者や子供、爪が伸びた女性、手指に障害を持った人（手指が十分に使えない人）であってもプルトップ缶８を容易に且つ安全に開蓋できることが明らかである。
【実施例２】
【００２４】
図４は紙製箱体のプルトップ容器９の形態を示す斜視図、図５はプルトップ容器９を実施例１の開蓋具で開蓋する状態を示す斜視図である。
【００２５】
このプルトップ容器９においても実施例１の開蓋具により同様に開蓋できる。
【００２６】
このプルトップ容器９は、図４や図５に示すように、ほぼ全体が紙製箱体により構成されており、この開蓋具により開蓋される内蓋９０と、注ぎ口９２に螺入される外蓋９１とを有している。
【００２７】
上記内蓋９０は、図４や図５に示すように、注ぎ口９２を閉蓋する樹脂製の薄膜９０ａと、前記薄膜９０ａに一体化されたリング部９０ｂとから構成されており、前記薄膜９０ａの外周部は切込みを入れてある。
【００２８】
このプルトップ容器９の内蓋９０を開蓋する場合、図５に示すように、上記したリング部９０ｂに開栓具の先端部２０を引っ掛け、手前に引き出す力を加えれば、上記した薄膜９０ａの切込み部分で切除できる。
【００２９】
上記の使用態様からすると、高齢者や子供、爪が伸びた女性、手指に障害を持った人（手指が十分に使えない人）であってもプルトップ容器９を容易に且つ安全に開蓋できることが明らかである。
【実施例３】
【００３０】
図６はこのプルトップ容器９の開蓋具の中央部分にヒンジを取り付けた状態を示す斜視図、図７は前記プルトップ容器９の開蓋具を中央部分で折り畳んだ状態を示す斜視図である。
【００３１】
このプルトップ容器９の開蓋具は、図６や図７に示すように、その中央部分にヒンジ９８を設けて折り畳み自在とすると共に、折り畳んだ状態において折り返し部２が嵌まり込む凹部を設けてある。したがって、この開蓋具は非常にコンパクトであり、持ち運びも容易で且つ安全である。
【実施例４】
【００３２】
図８は実施例１〜３までに使用したものと相違するプルトップ容器の開蓋具（プルトップ缶）
の斜視図、図９は先端湾曲部５がプルタブ７の環状部７０に下面側から上面側に向って差し込まれる状態を示す開蓋具の斜視図、図１０はプルタブ７の環状部７０を構成する引き起し側構成壁７１が凹状部６に嵌まり込んだ状態を示す斜視図である。
【００３３】
このプルトップ容器の開蓋具は、図８〜図１０に示すように、硬質の金属製板材４で形成されており、プルタブ７の環状部７０に下面側から上面側に向って差し込まれる先端湾曲部５と、前記先端湾曲部５から長手方向に離れた位置に形成され且つプルタブ７の環状部７０を構成する引き起し側構成壁７１が嵌まり込む凹状部６とを有している。なお、金属製板材４における先端湾曲部５と反対側端部には上記実施例１に示した永久磁石３０及び装飾部３１と同等のものを施してある。
【００３４】
このプルトップ容器の開蓋具では、以下に示す操作により、蓋８０が開蓋できる。
【００３５】
先ず、先端湾曲部５を、図９に示すように、プルタブ７の環状部７０に挿入する。続いて、環状部７０への挿入量を増加させ、引き起し側構成壁７１を凹状部６に嵌め込む（図１０参照）。そして、金属製板材４の先端湾曲部５の反対側端部を図１０に示すように引き上げる。すると、蓋８０は押し下げられ、開蓋されることになる。
【００３６】
上記の使用態様からすると、高齢者や子供、爪が伸びた女性、手指に障害を持った人（手指が十分に使えない人）であってもプルトップ缶８を容易に且つ安全に開蓋できることが明らかである。
【図面の簡単な説明】
【００３７】
【図１】この発明の実施例１のプルトップ容器（プルトップ缶）の開蓋具の斜視図。
【図２】プルトップ缶の開蓋具の使用態様を示す斜視図。
【図３】プルトップ缶の蓋にプルタブを押し込んだ状態を示す斜視図。
【図４】紙製箱体のプルトップ容器の形態を示す斜視図。
【図５】プルトップ容器を実施例１の開蓋具で開蓋する状態を示す斜視図。
【図６】このプルトップ容器の開蓋具の中央部分にヒンジを取り付けた状態を示す斜視図。
【図７】前記プルトップ容器の開蓋具を中央部分で折り畳んだ状態を示す斜視図。
【図８】実施例１〜３までに使用したものと相違するプルトップ容器の開蓋具（プルトップ缶）の斜視図。
【図９】先端湾曲部がプルタブの環状部に下面側から上面側に向って差し込まれる状態を示す開蓋具の斜視図。
【図１０】プルタブの環状部を構成する引き起し側構成壁が凹状部に嵌まり込んだ状態を示す斜視図。
【符号の説明】
【００３８】
１    金属製板材
２    折り返し部
２０  先端部分
３    係止部
３０  永久磁石
３１  装飾部
４    金属製板材
５    先端湾曲部
６    凹状部６
７    プルタブ
７０  環状部
８    プルトップ缶
８０  蓋
９    プルトップ容器
９８  ヒンジ
【図１】
2008174276.tif 000003
【図２】
2008174276.tif 000004
【図３】
2008174276.tif 000005
【図４】
2008174276.tif 000006
【図５】
2008174276.tif 000007
【図６】
2008174276.tif 000008
【図７】
2008174276.tif 000009
【図８】
2008174276.tif 000010
【図９】
2008174276.tif 000011
【図１０】
2008174276.tif 000012